【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
複数のドキュメントデータを処理するドキュメント処理装置であって、
オブジェクトデータとメタデータとを含むドキュメントデータを保持する保持手段と、
前記ドキュメントデータに含まれる各オブジェクトの重なりを検出する検出手段と、
前記検出手段で検出された各オブジェクトの重なりに関する情報を、前記ドキュメントデータに含まれる各オブジェクトのメタデータに追加する追加手段と、
各オブジェクトの重なりに関する条件を含む検索条件をユーザに設定させる設定手段と、
前記重なりに関する情報が追加されたメタデータに基づいて前記設定手段で設定された検索条件を満たすオブジェクトを検索する検索手段と、
前記検索手段で検索された結果を表示する表示手段と、
を有することを特徴とするドキュメント処理装置。
【請求項２】
前記追加手段は、上層オブジェクトと下層オブジェクトが重なっている場合、当該下層オブジェクトの表示率を算出し、算出した表示率を前記メタデータに追加することを特徴とする請求項１に記載のドキュメント処理装置。
【請求項３】
前記追加手段は、前記上層オブジェクトが透過オブジェクトの場合、透過パラメータを前記メタデータに追加することを特徴とする請求項２に記載のドキュメント処理装置。
【請求項４】
前記設定手段で設定される検索条件は、前記下層オブジェクトの表示率の閾値を含むことを特徴とする請求項２に記載のドキュメント処理装置。
【請求項５】
前記検索手段は、前記設定手段で設定された閾値より表示率が高いオブジェクトを検索対象とすることを特徴とする請求項４に記載のドキュメント処理装置。
【請求項６】
前記設定手段で設定される検索条件は、前記透過オブジェクトの下のオブジェクトを検索対象とするか否かを含むことを特徴とする請求項３に記載のドキュメント処理装置。
【請求項７】
前記設定手段で設定される検索条件は、表示されないオブジェクトを検索対象とするか否かを含むことを特徴とする請求項１に記載のドキュメント処理装置。
【請求項８】
前記設定手段は、表示されないオブジェクトを検索対象とするか否かの設定と、検索対象とするオブジェクトの表示率に関する閾値の設定と、透過オブジェクトの下にあるオブジェクトを検索対象にするか否かの設定とを行わせるための検索条件設定画面を表示し、当該表示した検索条件設定画面を介して、前記オブジェクトの重なりに関する条件を含む検索条件をユーザに設定させることを特徴とする請求項１に記載のドキュメント処理装置。
【請求項９】
前記設定手段で設定される検索条件は、前記オブジェクトの重なりに関する条件と検索キーワードとを含み、
前記検索手段は、前記メタデータに基づいて前記設定手段で設定された前記オブジェクトの重なりに関する条件と検索キーワードとを満たすオブジェクトを検索することを特徴とする請求項１に記載のドキュメント処理装置。
【請求項１０】
前記オブジェクトデータは、オブジェクトのベクタデータ、或いはオブジェクトの画像データであることを特徴とする請求項１に記載のドキュメント処理装置。
【請求項１１】
前記表示手段は、前記検索されたオブジェクトを含むドキュメント、或いは前記検索されたオブジェクトを含むページを表示することを特徴とする請求項１に記載のドキュメント処理装置。
【請求項１２】
複数のドキュメントデータを処理するドキュメント処理装置にて実行される検索方法であって、
保持手段が、オブジェクトデータとメタデータとを含むドキュメントデータを保持する保持工程と、
検出手段が、前記ドキュメントデータに含まれる各オブジェクトの重なりを検出する検出工程と、
追加手段が、前記検出工程において検出された各オブジェクトの重なりに関する情報を、前記ドキュメントデータに含まれる各オブジェクトのメタデータに追加する追加工程と、
設定手段が、各オブジェクトの重なりに関する条件を含む検索条件をユーザに設定させる設定工程と、
検索手段が、前記重なりに関する情報が追加されたメタデータに基づいて前記設定工程において設定された検索条件を満たすオブジェクトを検索する検索工程と、
表示手段が、前記検索工程において検索された結果を表示する表示工程と、
を有することを特徴とする検索方法。
【請求項１３】
コンピュータを、複数のドキュメントデータを処理するドキュメント処理装置の、
オブジェクトデータとメタデータとを含むドキュメントデータを保持させる保持手段、
前記ドキュメントデータに含まれる各オブジェクトの重なりを検出する検出手段、
前記検出手段で検出された各オブジェクトの重なりに関する情報を、前記ドキュメントデータに含まれる各オブジェクトのメタデータに追加する追加手段、
各オブジェクトの重なりに関する条件を含む検索条件をユーザに設定させる設定手段、
前記重なりに関する情報が追加されたメタデータに基づいて前記設定手段で設定された検索条件を満たすオブジェクトを検索する検索手段、
前記検索手段で検索された結果を表示する表示手段、
として機能させるためのプログラム。
【請求項１４】
請求項１３に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】ドキュメント処理装置及び検索方法
【手続補正３】
【補正対象書類名】明細書
【補正対象項目名】０００１
【補正方法】変更
【補正の内容】
【０００１】
本発明は、複数のドキュメントデータを処理するドキュメント処理装置及び検索方法に関する。
【手続補正４】
【補正対象書類名】明細書
【補正対象項目名】０００９
【補正方法】変更
【補正の内容】
【０００９】
本発明は、ドキュメントデータに含まれるメタデータに基づいてオブジェクトの検索を効率的に行えるドキュメント処理装置及び検索方法を提供することを目的とする。
【手続補正５】
【補正対象書類名】明細書
【補正対象項目名】００１０
【補正方法】変更
【補正の内容】
【００１０】
本発明は、複数のドキュメントデータを処理するドキュメント処理装置であって、オブジェクトデータとメタデータとを含むドキュメントデータを保持する保持手段と、前記ドキュメントデータに含まれる各オブジェクトの重なりを検出する検出手段と、前記検出手段で検出された各オブジェクトの重なりに関する情報を、前記ドキュメントデータに含まれる各オブジェクトのメタデータに追加する追加手段と、各オブジェクトの重なりに関する条件を含む検索条件をユーザに設定させる設定手段と、前記重なりに関する情報が追加されたメタデータに基づいて前記設定手段で設定された検索条件を満たすオブジェクトを検索する検索手段と、前記検索手段で検索された結果を表示する表示手段と、を有することを特徴とする。
【手続補正６】
【補正対象書類名】明細書
【補正対象項目名】００１１
【補正方法】変更
【補正の内容】
【００１１】
また、本発明は、複数のドキュメントデータを処理するドキュメント処理装置にて実行される検索方法であって、保持手段が、オブジェクトデータとメタデータとを含むドキュメントデータを保持する保持工程と、検出手段が、前記ドキュメントデータに含まれる各オブジェクトの重なりを検出する検出工程と、追加手段が、前記検出工程において検出された各オブジェクトの重なりに関する情報を、前記ドキュメントデータに含まれる各オブジェクトのメタデータに追加する追加工程と、設定手段が、各オブジェクトの重なりに関する条件を含む検索条件をユーザに設定させる設定工程と、検索手段が、前記重なりに関する情報が追加されたメタデータに基づいて前記設定工程において設定された検索条件を満たすオブジェクトを検索する検索工程と、表示手段が、前記検索工程において検索された結果を表示する表示工程と、を有することを特徴とする。